(57)【要約】【課題】原稿を載置するガラス板上に表示するガイド画像の歪みを抑制することが可能な画像読取装置を提供する。【解決手段】本開示の一態様にかかる画像読取装置は、ガラス板（２０３）に載置された原稿（２０２）の画像を読み取る画像読取装置であって、原稿（２０２）が載置される側と反対側のガラス板（２０３）に表示パネル（１２４）が密着して設けられており、その表示パネル（１２４）に原稿の載置位置を案内するためのガイド画像を表示することを特徴とする。【選択図】図２
2014138254.tif 000002
【特許請求の範囲】
【請求項１】
ガラス板に載置された原稿の画像を読み取る画像読取装置であって、
前記原稿が載置される側と反対側の前記ガラス板に表示パネルが密着して設けられており、
前記表示パネルに前記原稿の載置位置を案内するためのガイド画像を表示する表示制御手段を有することを特徴とする画像読取装置。
【請求項２】
前記表示制御手段は、
前記ガラス板上に設けられたスキャナカバーの開閉状態に応じて前記ガイド画像を前記表示パネルに表示するか否かを制御する、ことを特徴とする請求項１記載の画像読取装置。
【請求項３】
前記表示制御手段は、
前記スキャナカバーが開いた状態の場合は、前記ガイド画像を前記表示パネルに表示し、
前記スキャナカバーが閉じた状態の場合は、前記ガイド画像を前記表示パネルに表示しない、ことを特徴とする請求項１または請求項２記載の画像読取装置。
【請求項４】
前記表示制御手段は、
前記画像読取装置に設定されている原稿の設定情報を含む前記ガイド画像を前記表示パネルに表示する、ことを特徴とする請求項１から請求項３の何れか１項に記載の画像読取装置。
【請求項５】
前記表示制御手段は、
前記原稿の設定情報が変更された場合は、変更後の設定情報を含む前記ガイド画像を前記表示パネルに表示する、ことを特徴とする請求項４記載の画像読取装置。
【請求項６】
前記表示制御手段は、
前記ガラス板に原稿が載置された場合は、前記表示パネルに表示する前記ガイド画像の位置を変更して表示する、ことを特徴とする請求項１から請求項５の何れか１項に記載の画像読取装置。
【請求項７】
ガラス板に載置された原稿の画像を読み取る画像読取手段を有する画像形成装置であって、
前記原稿が載置される側と反対側の前記ガラス板に表示パネルが密着して設けられており、
前記表示パネルに前記原稿の載置位置を案内するためのガイド画像を表示する表示制御手段を有することを特徴とする画像形成装置。
【発明の詳細な説明】
【技術分野】
【０００１】
本開示は、ガラス板に載置された原稿の画像を読み取る技術に関する。
【背景技術】
【０００２】
複合機などの画像形成装置は、スキャナなどの画像読取装置が搭載されている。画像読取装置は、ガラス板に載置された原稿の画像を読み取る装置である。画像形成装置は、画像読取装置で読み取った原稿の画像を用紙等の記録媒体に印刷している。
【０００３】
画像読取装置には、原稿の画像を読み取る際の原稿のサイズ（Ａ４、Ｂ５などのサイズ）を設定する機能や、読み取った原稿の画像を拡大・縮小する設定を行う機能が備わっている。ユーザは、その機能を利用して各種設定を行い、原稿のスキャン動作を行っている。
【０００４】
なお、原稿を載置する部分にはガラス板が使用されており、ユーザは、原稿をガラス板に載置して原稿のスキャン動作を開始している。一般的な画像読取装置は、原稿のサイズや位置を案内するためのガイドがガラス板の周囲に表示されており、ユーザは、そのガイドにあわせて原稿をガラス板に載置することで、原稿のサイズや位置を特定している。通常のガイドは、主走査方向と副走査方向との２点のみで原稿の載置位置を表現している。副走査方向は、原稿の読み取り方向を意味し、主走査方向は、原稿の読み取り方向と直交する方向を意味する。
【０００５】
しかし、上述したガイドがガラス板の周囲に表示されていると、初めて使用するユーザにとってはガイドがわかり難くかった。また、原稿の載置位置の範囲がどの範囲まで載置可能かがわかり難かった。
【０００６】
このため、原稿の載置位置を容易に把握することが可能なガイドの表示が必要視されている。
【０００７】
なお、本発明より先に出願された技術文献として、特許文献１（特開2011-193311号公報）には、画像読取装置側にプロジェクタ部を設置し、プロジェクタ部からガイド用の画像を投影することで、原稿台のガラス面上にガイドの表示を行う点について開示されている。
【発明の概要】
【発明が解決しようとする課題】
【０００８】
特許文献１では、プロジェクタ部からガイド画像を投影することで、原稿台のガラス面上にガイド画像を表示している。しかし、この場合、プロジェクト部とガラス面とが離間しているため、プロジェクタ部から投影したガイド画像に歪みが発生し、ガラス面上に表示されたガイド画像では、正確な位置に原稿を載置することができない場合がある。
【０００９】
本開示の目的は、原稿を載置するガラス板上に表示するガイド画像の歪みを抑制することが可能な画像読取装置を提供することにある。
【課題を解決するための手段】
【００１０】
本開示の一態様にかかる画像読取装置は、
ガラス板に載置された原稿の画像を読み取る画像読取装置であって、
前記原稿が載置される側と反対側の前記ガラス板に表示パネルが密着して設けられており、
前記表示パネルに前記原稿の載置位置を案内するためのガイド画像を表示する表示制御手段を有することを特徴とする。
【発明の効果】
【００１１】
本開示の一態様によれば、原稿を載置するガラス板上に表示するガイド画像の歪みを抑制することができる。
【図面の簡単な説明】
【００１２】
【図１】本実施形態の画像形成装置の構成例を模式的に示す概略構成図である。
【図２】画像形成装置に搭載されるスキャナの構成例を模式的に示す概略構成図である。
【図３】画像形成装置の処理動作例を示す図である。
【図４】ガイド画像の表示例を示す図である。
【図５】スキャナの処理動作例を示す図である。
【発明を実施するための形態】
【００１３】
（本開示の一態様にかかる画像読取装置の実施形態の概要）
まず、図１、図２を参照しながら、本開示の一態様にかかる画像読取装置の概要について説明する。図２は、本開示の一態様にかかる画像読取装置の構成例を示す図である。
【００１４】
本開示の一態様にかかる画像読取装置は、ガラス板２０３に載置された原稿２０２の画像を読み取る画像読取装置である。
【００１５】
本開示の一態様にかかる画像読取装置は、原稿２０２が載置される側と反対側のガラス板２０３に表示パネル１２４が密着して設けられている。そして、その表示パネル１２４に原稿の載置位置を案内するためのガイド画像を表示する表示制御手段を有することを特徴とする。表示制御手段は、図１に示すＣＰＵ１１０１が機能する。
【００１６】
本開示の一態様にかかる画像読取装置は、ガラス板２０３に密着して設けられた表示パネル１２４にガイド画像を表示しているため、原稿２０２を載置するガラス板２０３上に表示するガイド画像の歪みを抑制することができる。即ち、表示パネル１２４とガラス板２０３とが離間せずに密着しているため、ガイド画像に歪みが発生することを抑制することができる。また、ガイド画像をガラス板２０３上に表示しているため、原稿の載置位置を容易に把握することができる。以下、添付図面を参照しながら、本開示の一態様にかかる画像読取装置の実施形態について詳細に説明する。なお、以下の実施形態では、本開示の一態様にかかる画像読取装置を搭載した画像形成装置を例に説明する。なお、原稿の種類は特に限定せず、画像を読み取るものであれば任意のものが原稿に含まれる。
【００１７】
＜画像形成装置の構成例＞
まず、図１を参照しながら、本実施形態の画像形成装置の構成例について説明する。図１は、本実施形態の画像形成装置の構成例を示す図である。
【００１８】
本実施形態の画像形成装置は、コントローラ／エンジン部１１０、スキャナガイド用表示部１２０、スキャナ部１３０、操作表示部１４０を有して構成する。
【００１９】
コントローラ／エンジン部１１０は、画像形成装置の制御を司る部分である。コントローラ／エンジン部１１０は、ＣＰＵ（Central Processing Unit）１１０１、メモリ１１０２、インターフェイス１１０３、メカ制御部１１０４、メカ駆動部１１０５、センサ入力部１１０６、イメージプロセッサ１１０７、操作部用制御部１１０８、インターフェイス１１０９、電源変換部１１１０を有して構成する。
【００２０】
ＣＰＵ１１０１は、プログラム処理を実行する。メモリ１１０２は、ＣＰＵ１０１で実行するプログラム、制御用のパラメータ、データなどを記憶する。ＣＰＵ１１０１は、メモリ１１０２のデータを読み取り可能であり、また、所望のデータをメモリ１１０２に書き込むことが可能である。
【００２１】
メカ制御部１１０４は、ＣＰＵ１１０１の指令により、画像形成装置内の各部にあるメカ駆動部１１０５の動作制御を行う。メカ駆動部１１０５の動作制御の対象には、スキャナ部１３０のスキャナ光源ユニット１３１も含まれる。スキャナ部１３０は、画像形成装置のスキャナに搭載される部分である。スキャナ部１３０は、スキャナ光源ユニット１３１、スキャナカバーオープンセンサ１３２、原稿サイズ検知センサ１３３、スキャナセンサ１３４を含んで構成する。スキャナ光源ユニット１３１は、スキャナ読取部（例えば、ＣＩＳモジュール）の走査方向移動のモータ制御、スキャナ用光源の光量制御などのスキャン動作実行時の制御を行う。また、メカ駆動部１１０５の動作制御の対象には、用紙を搬送する搬送ローラ、ドラムユニット、キャリッジなども含まれる。
【００２２】
メカ制御部１１０４は、センサ入力部１１０６が接続されている。センサ入力部１１０６は、スキャナ部１３０の各種センサ（スキャナカバーオープンセンサ１３２、原稿サイズ検知センサ１３３、スキャナセンサ１３４）が接続されており、スキャナ部１３０の各種センサのセンサ情報を取得する。スキャナカバーオープンセンサ１３２は、原稿台を覆うように搭載されているスキャナカバーが開いた状態か、または、閉じた状態かを判定するセンサである。原稿サイズ検知センサ１３３は、原稿台のガラス板に原稿がセットされているか否かを判定するセンサである。また、原稿サイズ検知センサ１３３は、原稿台のガラス板にセットされた原稿のサイズがどのサイズかを判断するセンサである。スキャナセンサ１３４は、スキャン動作実行時にスキャナで読み取った画像情報を光から電気信号に変換するセンサである。
【００２３】
イメージプロセッサ１１０７は、画像データの圧縮、伸長処理を行う。また、画像データから画像書込みに使用する書込みデータを生成する。イメージプロセッサ１１０７で圧縮された画像データは必要に応じてＣＰＵ１１０１を介してメモリ１１０２に一時的に格納する。
【００２４】
操作部用制御部１１０８は、ＣＰＵ１１０１の指令により、操作表示部１４０の動作制御を行う。インターフェイス１１０９は、コントローラ／エンジン部１１０と操作表示部１４０とを接続する。操作表示部１４０は、画像形成装置の基本操作を行う。基本操作の中には、コピー、スキャン動作時のスキャン原稿に関する各種設定も含まれる。また、操作表示部１４０は、各種情報を表示する。
【００２５】
電源変換部１１１０は、コントローラ／エンジン部１１０で必要な電源電圧の変換を行ったり、電源に関する制御を行ったりする。
【００２６】
インターフェイス１１０３は、コントローラ／エンジン部１１０とスキャナガイド用表示部１２０とを接続する。コントローラ／エンジン部１１０とスキャナガイド用表示部１２０との間で行う通信形態は特に限定せず、有線、無線の任意の通信形態で行うことが可能である。
【００２７】
スキャナガイド用表示部１２０は、ＭＣＵ（Micro Control Unit）１２１、インターフェイス１２２、表示部用コントローラ１２３、表示パネル１２４、電源部１２５を有して構成する。
【００２８】
ＭＣＵ１２１は、表示パネル１２４を制御したり、コントローラ／エンジン部１１０との通信を行ったりする。ＭＣＵ１２１は、プログラムの処理を実行する。
【００２９】
インターフェイス１２２は、スキャナガイド用表示部１２０とコントローラ／エンジン部１１０とを接続する。スキャナガイド用表示部１２０とコントローラ／エンジン部１１０との間で行う通信形態は特に限定せず、有線、無線の任意の通信形態で行うことが可能である。
【００３０】
表示部用コントローラ１２３は、表示パネル１２４を制御し、ＭＣＵ１２１から送信された情報を表示パネル１２４に表示する。表示パネル１２４は、スキャナのガラス板上にガイド画像の表示を行う。ガイド画像は、原稿の載置位置を案内するための情報で構成する。表示パネル１２４は、印刷物と同じ色再現方法（減色法）を用いた表示を行う。表示パネル１２４は、例えば、ＣＭＹＫ表示が可能な電子ペーパーなどで構成する。ＣＭＹＫ表示が可能な電子ペーパーの例としては、エレクトロクロミック方式、エレクトロウェッティング方式があげられる。
【００３１】
電源部１２５は、スキャナガイド用表示部１２０に必要な電源電圧の生成や変換を行う。電源部１２５は、ボタン電池といったスキャナガイド用表示部１２０で電源供給する機構で構成したり、他の回路から有線や無線によって電源供給する機構で構成することが可能である。
【００３２】
＜スキャナの構成例＞
次に、画像形成装置に搭載されるスキャナの構成例について説明する。図２は、画像形成装置に搭載されるスキャナの構成例を示す図である。図２は、原稿台のガラス板２０３上に原稿２０２が置かれた状態でスキャナカバー２０１が閉じられた状態を示している。
【００３３】
スキャナガイド用表示部１２０の表示パネル１２４は、原稿台のガラス板２０３のスキャナモジュール側に搭載される。この場合、表示パネル１２４をガラス板２０３と密着させた状態で搭載する。表示パネル１２４をガラス板２０３に密着させることで、表示パネル１２４上に表示された画像が歪むことなくガラス板２０３上に表示されることになる。
【００３４】
表示パネル１２４をガラス板２０３と密着させた状態にする場合は、ガラス板２０３を覆うように表示パネル１２４をガラス板２０３に密着させる。なお、表示パネル１２４をガラス板２０３に密着させる方法は特に限定せず、例えば、接着剤を用いて表示パネル１２４をガラス板２０３に密着させることも可能である。また、表示パネル１２４をガラス板２０３に密着させた状態でガラス板２０３の周囲に表示パネル１２４を固定させることも可能である。表示パネル１２４を、例えば、電子ペーパーなどの薄型の表示装置で構成することで、表示パネル１２４をガラス板２０３に密着させた状態にすることができる。
【００３５】
表示パネル１２４の下には、スキャナ光源ユニット１３１、レンズ２０８、スキャナセンサ１３４が搭載されている。スキャナ光源ユニット１３１は、スキャナ用ミラー２０５、スキャナ用光源２０６を有して構成する。
【００３６】
＜画像形成装置の処理動作例＞
次に、図３を参照しながら、本実施形態の画像形成装置の処理動作例について説明する。図３は、画像形成装置で行う処理動作例を示す図である。図３の処理は、コントローラ／エンジン部１１０のＣＰＵ１１０１が行う。
【００３７】
ＣＰＵ１１０１は、スキャナカバーオープンセンサ１３２のセンサ情報を基に、スキャナカバー２０１がオープン状態か否かを判断する（ステップS1）。
【００３８】
スキャナカバー２０１がオープン状態の場合は（ステップS1/Yes）、ＣＰＵ１１０１は、画像形成装置に現在設定されている原稿設定情報をメモリ１１０２から読み出す（ステップS2）。原稿設定情報は、画像形成装置を使用する際に画像形成装置に設定されている情報である。原稿設定情報としては、例えば、スキャナで原稿を読み取る際の読取サイズ、原稿を読み取る際の読取モード（グレースケール、カラーなど）などがあげられる。また、両面コピー設定、集約コピー設定、原稿を印刷する際の濃度情報、ステープルの止め位置、パンチの穴あき位置などがあげられる。ＣＰＵ１１０１は、メモリ１１０２から読み出した原稿設定情報を基に、例えば、原稿設定情報に合わせたガイド画像を表示パネル１２４に表示する（ステップS3）。これにより、原稿台のガラス板２０３上にガイド画像が表示されることになる。
【００３９】
次に、ＣＰＵ１１０１は、ユーザが操作表示部１４０を操作して原稿設定情報が変更されたか否かを判断する（ステップS4）。原稿設定情報が変更された場合は（ステップS4/Yes）、変更後の原稿設定情報に合わせたガイド画像を表示パネル１２４に表示する（ステップS5）。
【００４０】
次に、ＣＰＵ１１０１は、原稿サイズ検知センサ１３３のセンサ情報を基に、原稿台のガラス板２０３に原稿２０２がセットされたか否かを判断する（ステップS6）。原稿２０２がガラス板２０３セットされていない場合は（ステップS6/No）、ステップS4に移行し、原稿設定情報が変更されたか否かを判断する（ステップS4）。これにより、ユーザが原稿２０２をガラス板２０３にセットするまでの間は、常に、原稿設定情報が変更されたか否かを注視することができる。
【００４１】
また、原稿２０２がガラス板２０３にセットされている場合は（ステップS6/YES）、原稿サイズ検知センサ１３３のセンサ情報を基に、表示パネル１２４に表示しているガイド画像を原稿セット時のガイド画像に変更する。そして、その変更したガイド画像を表示パネル１２４に表示する（ステップS7）。これにより、原稿２０２がガラス板２０３にセットされた状態でもガイド画像がガラス板２０３上から見易くすることができる。
【００４２】
次に、ＣＰＵ１１０１は、ユーザが操作表示部１４０を操作して原稿設定情報が変更されたか否かを判断する（ステップS8）。原稿設定情報が変更された場合は（ステップS8/Yes）、変更後の原稿設定情報に合わせたガイド画像を表示パネル１２４に表示する（ステップS9）。
【００４３】
次に、ＣＰＵ１１０１は、スキャナカバーオープンセンサ１３２のセンサ情報を基に、スキャナカバー２０１がクローズ状態か否かを判断する（ステップS10）。スキャナカバー２０１がクローズ状態でない場合は（ステップS10/No）、ステップS8に移行し、原稿設定情報が変更されたか否かを判断する（ステップS8）。これにより、ユーザがスキャナカバー２０１を閉じるまでの間は、常に、原稿設定情報が変更されたか否かを注視することができる。
【００４４】
スキャナカバー２０１がクローズ状態である場合は（ステップS10/Yes）、ＣＰＵ１１０１は、表示パネル１２４に表示しているガイド画像を消して表示パネル１２４を透過状態にする（ステップS11）。これにより、ガラス板２０３にセットされた原稿２０２の画像をスキャナで読み取ることができる。
【００４５】
次に、ＣＰＵ１１０１は、スキャナの実行要求があるか否かを判断し（ステップS12）、スキャナの実行要求がある場合は（ステップS12/Yes）、スキャン動作を開始する（ステップS13）。スキャナの実行要求は、ユーザが操作表示部１４０を操作することで行うことができる。これにより、ガラス板２０３にセットされた原稿２０２の画像の読み取り動作が開始され、原稿２０２の画像をスキャナで読み取ることになる。
【００４６】
なお、図３に示す一連の処理動作は一例であり、本実施形態の画像形成装置の処理動作は、図３の処理動作例に限定するものではない。例えば、ステップS10の判定を行う前に、ステップS6と同様な判定を行い、ガラス板２０３に原稿２０２がセットされているか否かを判断することも可能である。また、ステップS12の判定を行う前に、ステップS1と同様な判定を行い、スキャナカバー２０１がオープン状態か否かを判断することも可能である。
【００４７】
＜ガイド画像の表示例＞
次に、図４を参照しながら、表示パネル１２４に表示するガイド画像の表示例について説明する。図４は、ガイド画像の表示例を示す図であり、ガラス板２０３の上方から見た状態を示している。
【００４８】
図４（ａ）は、スキャナカバー２０１がオープン状態の時に表示パネル１２４に表示するガイド画像の一例である。ＣＰＵ１１０１は、図３のステップS1の判定でスキャナカバー２０１がオープン状態と判断した場合は（ステップS1/Yes）、メモリ１１０２から原稿設定情報を読み出す（ステップS2）。そして、その原稿設定情報を基に、原稿台のガラス板２０３の裏面に密着して搭載されている表示パネル１２４上に図４（ａ）に示すようなガイド画像を表示する（ステップS3）。これにより、ガラス板２０３上に図４（ａ）に示すようなガイド画像が表示されることになる。ガイド画像は、原稿２０２のセット位置を示す点線状の枠線４０２と、原稿設定情報４０３と、で構成する。なお、図４（ａ）に示す原稿設定情報４０３には、「点線の枠内に原稿をセットしてください（原稿は印刷したい面を下にして下さい）」との情報も含まれており、この情報も合わせて表示パネル１２４に表示する。枠線４０２の内側に、現在の原稿の設定情報を表示することで、現在の原稿の設定情報をユーザに目視でわからせることができる。
【００４９】
図４（ｂ）は、原稿台のガラス板２０３に原稿２０２をセットした状態の時に表示パネル１２４に表示するガイド画像の一例である。ＣＰＵ１１０１は、図３のステップS6の判定でガラス板２０３上に表示された枠線４０２に原稿２０２がセットされたと判断した場合は（ステップS6/Yes）、原稿サイズ検知センサ１３３のセンサ情報を基に、表示パネル１２４に表示しているガイド画像を原稿セット時のガイド画像に変更する。そして、変更したガイド画像を表示パネル１２４に表示する（ステップS7）。これにより、ガラス板２０３上に図４（ｂ）に示すようなガイド画像が表示されることになる。
【００５０】
ガラス板２０３上に表示された枠線４０２に原稿２０２がセットされると枠線４０２の内側に表示した原稿設定情報が原稿２０２で隠れてしまうことになる。このため、ＣＰＵ１１０１は、ガラス板２０３に原稿２０２がセットされた場合は、原稿サイズ検知センサ１３３のセンサ情報を基に、ガラス板２０３上に表示した原稿設定情報を原稿２０２で隠れない位置に移動して表示する。これにより、原稿２０２がガラス板２０３セットされた状態でも原稿の設定情報をユーザに目視でわからせることができる。この時、ＣＰＵ１１０１は、原稿セット前に表示されている原稿設定情報４０３の中から不要な情報を消去する。図４（ｂ）では、図４（ａ）に示す原稿設定情報４０３の中から「点線の枠内に原稿をセットしてください（原稿は印刷したい面を下にして下さい）」との情報を消去している。なお、図４に示すガイド画像は、一例であり、ガイド画像の表示形態は任意に変更することが可能である。例えば、ガイド画像のレイアウトをユーザが操作表示部１４０を操作して任意に変更するようにすることも可能である。また、ガイド画像を構成する言語をユーザが操作表示部１４０を操作して任意に変更するようにすることも可能である。
【００５１】
＜スキャン動作時の処理動作例＞
次に、図５を参照しながら、スキャン動作時の処理動作例について説明する。図５は、スキャン動作時の処理動作例を示す図である。
【００５２】
図５（ａ）は、スキャナカバー２０１がオープン状態の時に原稿台のガラス板２０３に原稿２０２がセットされた時のスキャナの状態を示している。この時、ＣＰＵ１１０１は、ガイド画像５１０を表示パネル１２４に表示している。ＣＰＵ１１０１は、スキャナカバーオープンセンサ１３２のセンサ情報を基に、スキャナカバー２０１の開閉状態を特定し、スキャナカバー２０１が開いた状態の場合は、ガイド画像を表示パネル１２４に表示している。このため、ユーザは、ガラス板２０３上からガイド画像５１０を目視で確認することができる。なお、この時、スキャナ光源ユニット１３１、レンズ２０８、スキャナセンサ１３４は待機中となっている。
【００５３】
図５（ｂ）は、スキャン動作時のスキャナの状態を示している。スキャン動作時は、スキャナカバー２０１がクローズ状態になっている。ＣＰＵ１１０１は、スキャナ動作を実行する前に、表示パネル１２４に表示しているガイド画像５１０を消して表示パネル１２４を透過状態にする。ＣＰＵ１１０１は、スキャナカバーオープンセンサ１３２のセンサ情報を基に、スキャナカバー２０１の開閉状態を特定し、スキャナカバー２０１が閉じた状態の場合は、ガイド画像を表示パネル１２４から消して表示パネル１２４を透過状態にしている。これにより、スキャナ用光源２０６から出力した光５１２を表示パネル１２４で吸収しないようにすることができる。ＣＰＵ１１０１は、スキャン動作を開始すると、スキャナ用光源２０６から光５１２が出力される。その光５１２は、表示パネル１２４、ガラス板２０３、原稿２０２を透過し、スキャナカバー２０１で反射される。その後、スキャナ用ミラー２０５を経由してレンズ２０８を通ってスキャナセンサ１３４に到達する。そして、スキャナセンサ１３４は、受けた光５１２を電気信号に変換し、データ化してＣＰＵ１１０１に画像データを送信する。これにより、ガラス板２０３にセットされた原稿２０２の画像を読み取り、原稿の画像データを生成することができる。その後、その原稿の画像データを用紙に印刷することになる。なお、画像データの印刷方法は特に限定せず、任意の方法で行うことが可能である。
【００５４】
なお、本実施形態のスキャナは、表示パネル１２４をガラス板２０３に密着させている。このため、スキャナ用光源２０６から出力した光５１２は、表示パネル１２４を通過することになり、表示パネル１２４を搭載した分だけ光５１２の屈折が変化することになる。本実施形態の画像形成装置は、表示パネル１２４、ガラス板２０３を通過した光５１２で画像データを生成する。このため、表示パネル１２４、ガラス板２０３を通過した光５１２で生成した画像データが表示パネル１２４を実装していないガラス板２０３のみを通過した光５１２で生成した画像データと同じようになるようにしておくことは言うまでもない。
【００５５】
＜本実施形態の画像形成装置の作用・効果＞
このように、本実施形態の画像形成装置は、原稿２０２が載置される側と反対側のガラス板２０３に表示パネル１２４が密着して設けられている。そして、その表示パネル１２４に原稿の載置位置を案内するためのガイド画像を表示する。
【００５６】
本実施形態の画像形成装置は、ガラス板２０３に密着して設けられた表示パネル１２４にガイド画像を表示しているため、原稿２０２を載置するガラス板２０３上に表示するガイド画像の歪みを抑制することができる。また、ガイド画像をガラス板２０３上に表示しているため、原稿２０２の載置位置を容易に把握することができる。
【００５７】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００５８】
例えば、上記実施形態の画像形成装置１００を構成する各装置における制御動作は、ハードウェア、ソフトウェア、あるいは、両者の複合構成を用いて実行することも可能である。
【００５９】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータ内のメモリにインストールして実行させることが可能である。
【００６０】
例えば、プログラムは、記録媒体としてのハードディスクやROM（Read Only Memory）に予め記録しておくことが可能である。あるいは、プログラムは、リムーバブル記録媒体に一時的、あるいは、永続的に格納（記録）しておくことが可能である。このようなリムーバブル記録媒体は、いわゆるパッケージソフトウエアとして提供することが可能である。リムーバブル記録媒体は、磁気ディスク、半導体メモリなどの各種記録媒体があげられる。
【００６１】
なお、プログラムは、上述したようなリムーバブル記録媒体からコンピュータにインストールすることになる。また、ダウンロードサイトからコンピュータに無線転送することになる。また、ネットワークを介してコンピュータに有線で転送することになる。
【００６２】
また、上記実施形態の画像形成装置１００を構成する各装置は、上記実施形態で説明した処理動作に従って時系列的に処理を実行するだけに限定するものでない。例えば、処理を実行する装置の処理能力、あるいは、必要に応じて並列的にあるいは個別に処理を実行するように構築することも可能である。
【００６３】
また、上述する実施形態では、スキャナを搭載した画像形成装置を例に説明した。しかし、スキャナのみの画像読取装置で上述した処理を実現することも可能である。
【符号の説明】
【００６４】
１１０１    ＣＰＵ
２０２    原稿
２０３    ガラス板
１２４    表示パネル
【先行技術文献】
【特許文献】
【００６５】
【特許文献１】特開２０１１−１９３３１１号公報
【図１】
2014138254.tif 000003
【図２】
2014138254.tif 000004
【図３】
2014138254.tif 000005
【図４】
2014138254.tif 000006
【図５】
2014138254.tif 000007